(57)【要約】【課題】空気調和機本体または制御装置が故障にて返却された場合、確実な故障解析とその修理を実施する。【解決手段】室内機と室外機を接続する空気調和機において、室内機の制御装置及び室外機の制御装置の両方に製造番号を記憶する為の記憶部を設け、空気調和機設置後で室内機と室外機の接続時に、室内機生産時にあらかじめ室内機制御装置の記憶部に記憶された室内機製造番号を室内機から室外機へ送信し、室外機生産時にあらかじめ室外機制御装置の記憶部に記憶された室外機製造番号を室外機から室内機へ送信し、室外機制御装置の記憶部には室内機製造番号を記憶すると共に、室内機制御装置の記憶部には室外機製造番号を記憶する制御装置において、複数の製造番号を記憶する。【選択図】図１
2006084088.tif 000002
【特許請求の範囲】
【請求項１】
室内機と室外機を接続する空気調和機において、室内機の制御装置及び室外機の制御装置の両方に製造番号を記憶する為の記憶部を設け、空気調和機設置後で室内機と室外機の接続時に、室内機生産時にあらかじめ室内機制御装置の記憶部に記憶された室内機製造番号を室内機から室外機へ送信し、室外機生産時にあらかじめ室外機制御装置の記憶部に記憶された室外機製造番号を室外機から室内機へ送信し、室外機制御装置の記憶部には室内機製造番号を記憶すると共に、室内機制御装置の記憶部には室外機製造番号を記憶し、複数の製造番号を記憶することが可能なことを特徴とする空気調和機の制御装置。
【請求項２】
複数の製造番号に対応したそれぞれの空気調和機の運転時間を制御装置の記憶部に記憶することを特徴とする請求項１記載の空気調和機の制御装置。
【請求項３】
複数の製造番号に対応したそれぞれの空気調和機の異常内容を制御装置の記憶部に記憶することを特徴とする請求項１記載の空気調和機の制御装置。
【請求項４】
複数の製造番号に対応したそれぞれの空気調和機の設置条件を制御装置の記憶部に記憶することを特徴とする請求項１記載の空気調和機の制御装置。
【請求項５】
室内機制御装置の記憶部に記憶された室外機製造番号の数値を表示するための表示手段を有することを特徴とする請求項１記載の空気調和機の制御装置。
【発明の詳細な説明】
【技術分野】
【０００１】
本発明は、室内機と室外機を接続する空気調和機において、故障時に室内機と室外機がセットになっていなくても原因解析と修理を容易にする制御装置に関するものである。
【背景技術】
【０００２】
従来、室内機及び室外機の制御装置に記憶部を設け、生産時にあらかじめ製品の種類や製造番号を記憶させておき、その内容を表示したり、その内容を用いて圧縮機制御の切換を行うなどの手法があった（例えば特許文献１参照）。
【０００３】
図８は特許文献１に記載の従来の制御装置の構成図である。コントローラ６は、室内機４や室外機５の製品形式を選定する設定部６３、選定した製品形式を記憶する記憶部６４を備え、記憶された製品形式を表示部６２に表示する。
【特許文献１】特開平６−２６５２００号公報
【発明の開示】
【発明が解決しようとする課題】
【０００４】
しかしながら、前記特許文献１では、空気調和機設置時で、室内機と室外機が接続された状態では、室内機は室外機の内容を、室外機は室内機の内容を知ることができるが、空気調和機の故障などにより電源を切られた場合や空気調和機本体が設置場所から撤去され、室内機と室外機が接続されていない状態では、過去接続されていた時の相手の室外機または室内機の内容を知ることができない。その為、故障などで室内機のみが工場などに返却された場合、簡単な故障の場合は、室内機単独での修理は可能だが、複雑な故障内容の場合、空気調和機は室内機と室外機が接続されて始めて正常な動作が可能な為故障に対する解析が十分に実施できず、故障に対する修理が完了しない場合も発生する可能性がある。また、室内機と室外機が両方返却されてきても、どの室内機とどの室外機が接続されていたかを知る手段がない為、十分な解析ができない。
【０００５】
本発明はこのような従来の課題を解決するものであり、空気調和機本体または制御装置が故障にて返却された場合、確実な故障解析とその修理を実施することができる空気調和機の制御装置を提供することを目的とする。
【課題を解決するための手段】
【０００６】
室内機と室外機を接続する空気調和機において、室内機の制御装置及び室外機の制御装置の両方に製造番号を記憶する為の記憶部を設け、空気調和機設置後で室内機と室外機の接続時に、室内機生産時にあらかじめ室内機制御装置の記憶部に記憶された室内機製造番号を室内機から室外機へ送信し、室外機生産時にあらかじめ室外機制御装置の記憶部に記憶された室外機製造番号を室外機から室内機へ送信し、室外機制御装置の記憶部には室内機製造番号を、室内機制御装置の記憶部には室外機製造番号を記憶すると共に、もし、過去送信されてきた製造番号と異なる新たな製造番号が送信された場合には、過去送信された製造番号と新たに送信された製造番号の両方を記憶する。
【０００７】
上記構成によって、室内機と室外機を接続する空気調和機において、空気調和機室内機本体または室内機の制御装置のみが故障にて返却された場合、確実な故障解析とその修理を実施することができる空気調和機の制御装置を提供することを目的とする。
【発明の効果】
【０００８】
本発明の空気調和機の制御装置は、室外機制御装置の記憶部には過去に接続された複数
の室内機製造番号を記憶すると共に、室内機制御装置の記憶部には過去に接続された複数の室外機製造番号を記憶することにより、室内機と室外機を接続する空気調和機において、空気調和機室内機本体または室内機の制御装置のみが故障にて返却された場合、確実な故障解析とその修理を実施することができる。
【発明を実施するための最良の形態】
【０００９】
第１の発明は、室外機制御装置の記憶部には過去に接続された複数の室内機製造番号を記憶すると共に、室内機制御装置の記憶部には過去に接続された複数の室外機製造番号を記憶することにより、室内機と室外機を接続する空気調和機において、空気調和機室内機本体または室内機の制御装置のみが故障にて返却された場合、確実な故障解析とその修理を実施することができる空気調和機の制御装置を提供することができるという効果を奏する。
【００１０】
第２の発明は、室外機制御装置の記憶部には過去に接続された複数の室内機製造番号を、また、室内機制御装置の記憶部には過去に接続された複数の室外機製造番号を記憶すると共に、製造番号に対応したそれぞれの空気調和機の運転時間を制御装置の記憶部に記憶ことにより、室内機と室外機を接続する空気調和機において、空気調和機室内機本体または室内機の制御装置のみが故障にて返却された場合、確実な故障解析とその修理を実施することができる空気調和機の制御装置を提供することができるという効果を奏する。
【００１１】
第３の発明は、室外機制御装置の記憶部には過去に接続された複数の室内機製造番号を、また、室内機制御装置の記憶部には過去に接続された複数の室外機製造番号を記憶すると共に、製造番号に対応したそれぞれの空気調和機の異常内容を制御装置の記憶部に記憶ことにより、室内機と室外機を接続する空気調和機において、空気調和機室内機本体または室内機の制御装置のみが故障にて返却された場合、確実な故障解析とその修理を実施することができる空気調和機の制御装置を提供することができるという効果を奏する。
【００１２】
第４の発明は、室外機制御装置の記憶部には過去に接続された複数の室内機製造番号を、また、室内機制御装置の記憶部には過去に接続された複数の室外機製造番号を記憶すると共に、製造番号に対応したそれぞれの空気調和機の設置条件を制御装置の記憶部に記憶ことにより、室内機と室外機を接続する空気調和機において、空気調和機室内機本体または室内機の制御装置のみが故障にて返却された場合、確実な故障解析とその修理を実施することができる空気調和機の制御装置を提供することができるという効果を奏する。
【００１３】
第５の発明は、室外機制御装置の記憶部には過去に接続された複数の室内機製造番号を、また、室内機制御装置の記憶部には過去に接続された複数の室外機製造番号を記憶すると共に、室内機に記憶した室外機製造番号の数値を表示するための表示手段を設けることにより、室内機と室外機を接続する空気調和機において、空気調和機室内機本体または室内機の制御装置のみが故障にて返却された場合、確実な故障解析とその修理を実施することができる空気調和機の制御装置を提供することができるという効果を奏する。
【００１４】
以下本発明の実施の形態について図面を参照して説明する。
【００１５】
（実施の形態１）
図１は本発明の実施の形態１に係わる制御装置の構成図である。図１において、室内制御装置１は、マイクロコンピュータ１１、室内記憶部１２、室内通信部１３から構成され、また、室外制御装置２は、マイクロコンピュータ２１、室外記憶部２２、室外通信部２３から構成されている。
【００１６】
次に実際の動作を、図２のフローチャートを用いて説明する。まず、室外制御装置２に
おいて、マイクロコンピュータ２１により室外記憶部２２より室外製造番号を読出し、室外から室内へ室外製造番号が送信される（２０１）。そして、マイクロコンピュータ１１により室外製造番号を室内記憶部１２へ記憶される（２０２）。その後、再度、室外から室内へ室外製造番号が送信され（２０３）、マイクロコンピュータ１１にて、既に室内記憶部１２に記憶中の室外製造番号と同じか判定する（２０４）。もし、同じであれば、特に何もせず、もし、異なるのであれば、新たな室外製造番号が記憶済みの室外製造番号とは別に、室内記憶部１２へ記憶される（２０５）。
【００１７】
このように過去に接続されたことのある全ての室外機制御装置の製造番号を室内機の記憶部に記憶することにより、室内機と室外機を接続する空気調和機において、空気調和機室内機本体または室内機の制御装置のみが故障にて返却された場合、過去にどのような変更履歴があるのかを知ることができ、確実な故障解析とその修理を実施することができる空気調和機の制御装置を提供することができる。
【００１８】
（実施の形態２）
図３は本発明の実施の形態２に係るフローチャートである。図３を用いて説明する。まず、室外制御装置２において、マイクロコンピュータ２１により室外記憶部２２より室外製造番号を読出し、室外から室内へ室外製造番号と運転時間が送信される（３０１）。そして、マイクロコンピュータ１１により室外製造番号を室内記憶部１２へ記憶される（３０２）と共に、室外運転時間も室内記憶部に記憶される（３０３）。その後、再度、室外から室内へ室外製造番号と運転時間が送信され（３０４）、マイクロコンピュータ１１にて、既に室内記憶部１２に記憶中の室外製造番号と同じか判定する（３０５）。もし、同じであれば、その室外製造番号に対応した室外運転時間をそのまま記憶する（３０８）が、もし、異なるのであれば、新たな室外製造番号が記憶済みの室外製造番号とは別に、室内記憶部１２へ記憶される（３０６）と共に、新たな室外製造番号に対応した室内記憶部１２の領域に室外運転時間が記憶される（３０７）。
【００１９】
このように過去に接続されたことのある全ての室外機制御装置の製造番号とそれに対応した室外運転時間を室内機の記憶部に記憶することにより、室内機と室外機を接続する空気調和機において、空気調和機室内機本体または室内機の制御装置のみが故障にて返却された場合、過去にどのような変更履歴があり、そのそれぞれの制御装置の運転時間を知ることができ、確実な故障解析とその修理を実施することができる空気調和機の制御装置を提供することができる。
【００２０】
（実施の形態３）
図４は本発明の実施の形態３に係るフローチャートである。図４を用いて説明する。まず、室外制御装置２において、マイクロコンピュータ２１により室外記憶部２２より室外製造番号を読出し、室外から室内へ室外製造番号と異常内容が送信される（４０１）。そして、マイクロコンピュータ１１により室外製造番号を室内記憶部１２へ記憶される（４０２）と共に、室外異常内容も室内記憶部に記憶される（４０３）。その後、再度、室外から室内へ室外製造番号と異常内容が送信され（４０４）、マイクロコンピュータ１１にて、既に室内記憶部１２に記憶中の室外製造番号と同じか判定する（４０５）。もし、同じであれば、その室外製造番号に対応した室外異常内容をそのまま記憶する（４０８）が、もし、異なるのであれば、新たな室外製造番号が記憶済みの室外製造番号とは別に、室内記憶部１２へ記憶される（４０６）と共に、新たな室外製造番号に対応した室内記憶部１２の領域に室外異常内容が記憶される（４０７）。
【００２１】
このように過去に接続されたことのある全ての室外機制御装置の製造番号とそれに対応した室外異常内容を室内機の記憶部に記憶することにより、室内機と室外機を接続する空気調和機において、空気調和機室内機本体または室内機の制御装置のみが故障にて返却さ
れた場合、過去にどのような変更履歴があり、そのそれぞれの制御装置にどのような異常内容が発生したかを知ることができ、確実な故障解析とその修理を実施することができる空気調和機の制御装置を提供することができる。
【００２２】
（実施の形態４）
図５は本発明の実施の形態４に係るフローチャートである。図５を用いて説明する。まず、室外制御装置２において、マイクロコンピュータ２１により室外記憶部２２より室外製造番号を読出し、室外から室内へ室外製造番号と設置状況が送信される（５０１）。そして、マイクロコンピュータ１１により室外製造番号を室内記憶部１２へ記憶される（５０２）と共に、室外設置条件も室内記憶部に記憶される（５０３）。その後、再度、室外から室内へ室外設置条件と異常内容が送信され（５０４）、マイクロコンピュータ１１にて、既に室内記憶部１２に記憶中の室外設置条件と同じか判定する（５０５）。もし、同じであれば、その室外製造番号に対応した室外設置条件をそのまま記憶する（５０８）が、もし、異なるのであれば、新たな室外製造番号が記憶済みの室外製造番号とは別に、室内記憶部１２へ記憶される（５０６）と共に、新たな室外製造番号に対応した室内記憶部１２の領域に室外設置条件が記憶される（５０７）。
【００２３】
このように過去に接続されたことのある全ての室外機制御装置の製造番号とそれに対応した室外設置条件を室内機の記憶部に記憶することにより、室内機と室外機を接続する空気調和機において、空気調和機室内機本体または室内機の制御装置のみが故障にて返却された場合、過去にどのような変更履歴があり、そのそれぞれの制御装置がどのような設置条件で使用されていたかを知ることができ、確実な故障解析とその修理を実施することができる空気調和機の制御装置を提供することができる。
【００２４】
（実施の形態５）
図６は実施の形態１に係わる制御装置の構成図である。図６において、室内制御装置１は、マイクロコンピュータ１１、室内記憶部１２、室内通信部１３、室内表示部１４から構成され、また、室外制御装置２は、マイクロコンピュータ２１、室外記憶部２２、室外通信部２３から構成されている。
【００２５】
実際の動作を、図７のフローチャートを用いて説明する。まず、室外制御装置２において、マイクロコンピュータ２１により室外記憶部２２より室外製造番号を読出し、室外から室内へ室外製造番号が送信される（７０１）。そして、マイクロコンピュータ１１により室外製造番号を室内記憶部１２へ記憶される（７０２）。その後、再度、室外から室内へ室外製造番号が送信され（７０３）、マイクロコンピュータ１１にて、既に室内記憶部１２に記憶中の室外製造番号と同じか判定する（７０４）。もし、同じであれば、特に何もせず、もし、異なるのであれば、新たな室外製造番号が記憶済みの室外製造番号とは別に、室内記憶部１２へ記憶される（７０５）。そして、室内記憶部に記憶した室外製造番号の数を表示する（７０６）
このように過去に接続されたことのある全ての室外機制御装置の製造番号を室内機の記憶部に記憶することにより、室内機と室外機を接続する空気調和機において、空気調和機室内機本体または室内機の制御装置のみが故障にて返却された場合、過去にどのような変更履歴があるのか、また、過去に、何回、室外制御装置が交換されているのかを知ることができ、確実な故障解析とその修理を実施することができる空気調和機の制御装置を提供することができる。
【図面の簡単な説明】
【００２６】
【図１】本発明の実施の形態１における制御装置の構成図
【図２】本発明の実施の形態１に係るフローチャート
【図３】本発明の実施の形態２に係るフローチャート
【図４】本発明の実施の形態３に係るフローチャート
【図５】本発明の実施の形態４に係るフローチャート
【図６】本発明の実施の形態５における制御装置の構成図
【図７】本発明の実施の形態５に係るフローチャート
【図８】従来の制御装置の構成図
【符号の説明】
【００２７】
１  室内制御装置
１１  マイクロコンピュータ
１２  室内記憶部
１３  室内通信部
１４  室内表示部
２  室外制御装置
２１  マイクロコンピュータ
２２  室外記憶部
２３  室外通信部
【図１】
2006084088.tif 000003
【図２】
2006084088.tif 000004
【図３】
2006084088.tif 000005
【図４】
2006084088.tif 000006
【図５】
2006084088.tif 000007
【図６】
2006084088.tif 000008
【図７】
2006084088.tif 000009
【図８】
2006084088.tif 000010